(57)【要約】【課題】  周壁部が二重シートのハニカム状パネル材からなる包装用容器として、容器表面部に所要の表示を容易に低コストで施すことができ、表示の変更も簡単に行え、周面の汚れを生じにくく、保温性能に優れ、容器全体の操作性がよいものを提供する。【解決手段】  外面側に独立凹部５…群を有する凹凸成形シート６１の内面側に、平坦シート６２を前記独立凹部５…群の逆形となる独立凸部５０…群の頂部で貼着した合成樹脂製の二重シート６によって周壁部１が構成され、周壁部１の少なくとも一部の外面側に、内面側の複数箇所に嵌合凸部７…を有する合成樹脂製のカバーパネル４Ａ，４Ｂが各嵌合凸部７を周壁部１側の独立凹部５ａに嵌合して装着されている。【選択図】        図１
2006206092.tif 000002
【特許請求の範囲】
【請求項１】
外面側に独立凹部群を有する凹凸成形シートの内面側に、平坦シートを前記独立凹部群の逆形となる独立凸部群の頂部で貼着した合成樹脂製の二重シートによって周壁部が構成された包装用容器において、
内面側の複数箇所に独立凸部が形成された合成樹脂製のカバーパネルを備え、
前記周壁部の少なくとも一部の外面側に、前記カバーパネルが内面側の各独立凸部を当該周壁部側の独立凹部に嵌合して装着されてなる包装用容器。
【請求項２】
前記カバーパネルの独立凸部の基部側と、この独立凸部に対する嵌合位置にある前記周壁部側の独立凹部の開口側とが共に括れた形状であり、該独立凹部に独立凸部を圧入係止するように構成されてなる請求項１記載の包装用容器。
【請求項３】
前記カバーパネルに起伏可能な持ち手部が切込み形成されると共に、この持ち手部の内面側に少なくとも一つの係止用独立凸部が形成され、この係止用独立凸部を前記周壁部の独立凹部に係嵌することにより、不使用時の前記持ち手部が倒伏姿勢で止着されるように構成されてなる請求項１又は２に記載の包装用容器。
【請求項４】
周壁部が多角筒状をなし、その対向する一対の側壁部に前記持ち手部を有するカバーパネルが装着されると共に、他の側壁部に前記持ち手部のないカバーパネルが装着されてなる請求項３記載の包装用容器。
【請求項５】
前記二重シートにおける凹凸成形シートとカバーパネルとが熱可塑性樹脂の真空成形物又は圧空成形物からなる請求項１〜４のいずれかに記載の包装用容器。
【発明の詳細な説明】
【技術分野】
【０００１】
本発明は、所謂カートンとして、例えば業務用の液状洗剤、液体調味料、飲料、塗料、薬液、液状接着剤等の液剤や粉粒体の如き比較的多量の流動物を充填した合成樹脂製の袋を内部に収容したり、多数個の小サイズの固形物品を内部に納めたり、更には家電・電子製品を始めとする種々の製品を輸送・保管する際の包装箱に用いるのに好適な箱型の包装用容器に関する。
【背景技術】
【０００２】
従来より、この種の包装用容器として、段ボール製の箱体が広く汎用されているが、他に様々な成形法にて製作された合成樹脂製の箱体も利用されている。しかるに、段ボール製の包装用容器では、耐水性、耐薬品性、耐久性、強度等に劣り、特に吸湿や水濡れによって軟化して強度を喪失し、破損、潰れ、膨出変形等を生じ易い上、段積み状態での輸送や保管中に荷崩れしたり、含水部分に腐食や変色を生じるといった欠点があった。
【０００３】
これに対し、合成樹脂製の包装用容器は耐水性や耐薬品性は良好であるが、従来の射出成形や中空成形によるものでは、肉厚が厚く強度的に優れる反面、使用樹脂量が多くなって製造コストの上昇を招く共に、嵩張るために保管や搬送の際に大きなスペースを要し、加えて使用済の容器を焼却処理する場合に高い燃焼カロリーによって焼却炉を傷めるという問題があった。また、従来の真空成形や圧空成形によるものでは、製造コストは低減するが、肉厚が薄くなるために強度的に劣り、特に胴部を平面視正方形等の多角筒状にした場合に、各壁面の耐撓み強度が不充分になるという難点があった。一方、スチール缶等の金属製容器は、重い上に嵩張ることから、取扱性が悪く保管や搬送にも大きなスペースを取り、また鉄の如く安価な金属材では概して耐蝕性に劣るという難点があった。
【０００４】
そこで、本発明者らは、先に、段ボールに代替し得る新しい合成樹脂製のパネル材（特許文献１）を開発すると共に、このパネル材を用いた合成樹脂製の包装用容器（特許文献２，３）を提案している。
【特許文献１】特願２００３−４０８４１７
【特許文献２】特願２００４−００７７８９
【特許文献３】特願２００４−００７７９０
【０００５】
上記のパネル材は、表面側に密に配列した独立凹部群を有して裏面側に逆形の独立凸部群を有する合成樹脂製の凹凸成形シートに、非伸縮性の平坦シートが裏面側の独立凸部群の頂部に接合して貼着一体化された二重シートからなるハニカム状パネル材であり、超軽量で且つ腰が強く、耐水性や耐薬品性に優れて段ボールのような吸湿による軟化変形の問題もなく、しかも安価に製造できるという優れた特徴を備えている。また、上記の包装用容器は、周壁部を上記ハニカム状パネル材にて構成しているため、超軽量であるにも関わらず各壁面の耐撓み強度を充分に確保でき、物品収納状態での段積みが可能である上、使用樹脂量が少なく、それだけ材料コストが低減されると共に使用済の容器を焼却処理する際の燃焼カロリーも低くなり、加えて周壁部の二重シート間の空気層による良好な断熱保温性や胴部での高い衝撃吸収性を示す。
【０００６】
しかしながら、上記提案のように周壁部を二重シートのハニカム状パネル材にて構成した包装用容器では、周壁部の表面の大部分が密に配列した独立凹部群によって凹凸状をなし、また上蓋においても補強のために一般的に凹凸リブ構造が採用されるから、容器表面への印刷表示を行えず、例えば収容した物品の名称、商標、成分内容、使用説明、公告宣伝等を表示するのに不便であり、表示ラベルを貼着しても下地の凹凸表面には密着できないため、押圧等でラベルが破れて早期に外観体裁を悪化させることになり、また経時的に周壁部の独立凹部内に塵埃が溜まり易く、該凹部に付着した汚れも取れにくいという難点があった。更に、内部に流動物入り内袋等を収容し、該内袋の注出口を容器蓋部から引き出して流動物の注出を行うような包装用容器では、注出のために容器全体を傾けたり持ち上げたりする操作に困難をきたすことがあった。
【発明の開示】
【発明が解決しようとする課題】
【０００７】
本発明は、上述の情況に鑑み、上記提案のように周壁部を二重シートのハニカム状パネル材にて構成した包装用容器として、容器表面部に所要の表示を容易に低コストで施すことができ、表示の変更も簡単に行える上、周面の汚れを生じにくく、保温性能にも優れ、また容器全体の操作性を良好にし得るものを提供することを目的としている。
【課題を解決するための手段】
【０００８】
上記目的を達成するために、本発明の請求項１に係る包装用容器は、図面の参照符号を付して示せば、外面側に独立凹部５…群を有する凹凸成形シート６１の内面側に、平坦シート６２を前記独立凹部５…群の逆形となる独立凸部５０…群の頂部で貼着した合成樹脂製の二重シート６によって周壁部１が構成された包装用容器において、内面側の複数箇所に嵌合凸部７…が形成された合成樹脂製のカバーパネル４Ａ，４Ｂを備え、前記周壁部１の少なくとも一部の外面側に、前記カバーパネル４Ａ，４Ｂが各嵌合凸部７を当該周壁部１側の独立凹部５（５ａ）に嵌合して装着されてなるものとしている。
【０００９】
請求項２の発明は、上記請求項１の包装用容器において、前記カバーパネル４Ａ，４Ｂの嵌合凸部７の基部７１側と、この嵌合凸部７に対する嵌合位置にある前記周壁部１側の独立凹部５ａの開口５１側とが共に括れた形状であり、該独立凹部７に独立凸部５ａを圧入係止するように構成されている。
【００１０】
請求項３の発明は、上記請求項１又は２の包装用容器において、前記カバーパネル４Ｂに起伏可能な持ち手部８が切込み形成されると共に、この持ち手部８の内面側に嵌合凸部７が形成され、この嵌合凸部７を前記周壁部１の独立凹部５ａに係嵌することにより、不使用時の前記持ち手部８が倒伏姿勢で止着されるように構成されている。
【００１１】
請求項４の発明は、上記請求項３の包装用容器において、周壁部１が多角筒状をなし、その対向する一対の側壁１ａ，１ａに前記持ち手部８を有するカバーパネル４Ｂが貼着されると共に、他の側壁１ａ，１ａに前記持ち手部８のないカバーパネル４Ａが貼着されてなるものとしている。
【００１２】
請求項５の発明は、上記請求項１〜４のいずれかの包装用容器において、前記二重シート６における凹凸成形シート６１とカバーパネル４Ａ，４Ｂとが熱可塑性樹脂の真空成形物又は圧空成形物からなる構成としている。
【発明の効果】
【００１３】
請求項１の発明に係る包装用容器によれば、ハニカム状パネル材からなる周壁部の凹凸状をなす外面がカバーパネルにて覆われるため、このカバーパネルの平坦面を利用した印刷やラベル貼付によって所要の表示を行ったり、周壁部外面とカバーパネルとの間に印刷物等を挟み込んで同様に表示を行えると共に、容器本体には直接に表示を施さないので表示の変更も極めて簡単であり、且つ外面に露呈する凹所が減って汚れにくくなり、また周壁部の凹凸状をなす外面とカバーパネルとの間に形成される空気層により、保温性能が更に向上する。しかして、カバーパネルは、容器本体の周壁部外面の独立凹部を利用して凹凸嵌合させるから、該容器本体に対して確実に位置決めして容易に装着できる。
【００１４】
請求項２の発明によれば、カバーパネルは独立凸部を容器本体の周壁部の独立凹部に圧入係止するから、その容器本体への装着のために接着剤を用いたり溶着を行う必要がなく、それだけ装着容易であると共に、内容物の変更等に対応して簡単に着脱交換できる。
【００１５】
請求項３の発明によれば、カバーパネルに持ち手部が形成されているから、この持ち手部の利用によって包装用容器の取扱いが容易になり、例えば内部に収容した流動物入り内袋の注出口を容器蓋部から引き出して注出を行う包装用容器等の場合に、その注出等のために容器全体を傾けたり持ち上げたりする操作が持ち手部を利用して容易に行えると共に、不使用時には該持ち手部を邪魔にならない倒伏姿勢に保持できる。
【００１６】
請求項４の発明によれば、周壁部が多角筒状をなす包装用容器において、一対の側壁部に装着した持ち手部を有するカバーパネルによって容器全体の良好な操作性を確保できる一方、他の側壁部に装着されるカバーパネルによって所要の表示を行えると共に、周壁部全体の防汚機能及び保温機能を向上できる。
【００１７】
請求項５の発明によれば、前記二重シートにおける凹凸成形シートとカバーパネルを、共に熱可塑性樹脂の平坦シートを原材として真空成形又は圧空成形によって容易に且つ安価に製作できる。
【発明を実施するための最良の形態】
【００１８】
以下、本発明の一実施形態に係る包装用容器について、図面を参照して具体的に説明する。図１に示すように、この包装用容器は、正四角筒状の周壁部１と、その上下部に外嵌する上蓋２及び底蓋３とで容器本体１０が構成されると共に、周壁部１の各側壁１ａに装着される計４枚で２種のカバーパネル４Ａ，４Ｂを有している。
【００１９】
周壁部１は、図２に示すように、熱可塑性樹脂の真空成形物又は圧空成形物からなる凹凸成形シート６１の内面側に、合成樹脂の平坦シート６２が貼着された二重シートからなるハニカム状パネル材６にて構成されている。そして、図３に示すように、ハニカム状パネル材６は側壁１ａに対応する矩形の単位パネル面の２面が連結部で曲げ自在に連なったものであり、その２枚を両端同士で融着連結して正四角筒状の周壁部１を形成しているが、隣接する側壁１ａ，１ａ同士の各境界部１ｂが曲げ自在であるため、使用前には該周壁部１を図示仮想線のように平行四辺形状に折り畳んだ偏平形態にすることができる。
【００２０】
この周壁部１の各側壁１ａは、図４で詳細に示すように、上下左右の帯状領域を除き、外面側に多数の正六角形の独立凹部５…が、隣接する相互の六角形の各辺を平行にして、水平方向を含む互いに６０°の角度をなす３方向に沿って定間隔で密に配列し、ハニカム状の三次元立体構造を形成している。また、これら独立凹部５…群を区画する境界稜線部１１は、上記３方向のいずれにもジグザグ状の非直線的に連続する形で、独立凹部５…群の形成領域全体で面一になっている。しかして、図２及び図４に示すように、独立凹部５…群の内、所定箇所にある複数個の独立凹部５ａ…は開口５１側が括れた奥広の形状を有しており、他は型抜きテーパとして一般的な開口側がやや広くなる凹部形状を備える。
【００２１】
各側壁１ａにおける独立凹部５…群の形成領域と上下縁に沿う帯状領域の間には、左右方向に沿う蓋止めリブ１２が設けられている。そして、上下の両帯状領域には、縦長の矩形凸部１３…が左右方向一定間隔置きに配列すると共に、左右方向中央位置の一つを除いて各矩形凸部１３の先端側に爪部１４が突設され、且つ下側の帯状領域における左右一対の爪部１４，１４の各形成部分が両側の切欠１５，１５によって係止突片１６を構成している。各側壁１ａの左右側縁に沿う帯状領域は、全体が側端へ向けて低くなる膨出部１７をなすと共に、この膨出部１７に前記独立凹部５…群の境界稜線部１１から連続する横方向のリブ１８…が所定間隔置きに突出状に形成されている。
【００２２】
ハニカム状パネル材６の外側の凹凸成形シート６１は、その表裏で凹凸が逆になっており、外面側の独立凹部５…群が内面側で逆形となった独立凸部７０…群の各頂部、単位パネル面における四周の端縁位置、上下辺に沿う帯状領域での矩形凸部１３…間の凹部が内面側で逆形になった凸部、各爪部１４の周縁において、内側の平坦シート６２に接合している。また、各爪部１４は、外面側へ膨らんで先端側へ尖った略楔形に形成されている。そして、爪部１４と矩形凸部１３との間が内向きに凹入し、上辺では下向き、下辺では上向きの段部１９を構成している。
【００２３】
上蓋２は、熱可塑性樹脂の真空成形物又は圧空成形物からなり、図１に示すように、凹凸状の上板部２ａと僅かに裾拡がりになった周枠部２ｂとから正方形の箱枠状をなしている。その上板部２ａは、上面を凹凸基準として、周縁に沿って各辺左右２本の溝状凹部２１…を有し、これら溝状凹部２１…の外側側壁と周枠部２ｂとの間で縦断面逆Ｕ字状の抱持部２２…を構成すると共に、中央側に全体として略矩形に配置した４本のく字形の畝状凸部２３…が形成されている。また、該上板部２ａには、畝状凸部２３…にて囲まれた内側領域の半部に、上蓋中央側をヒンジとして上方へ引き起こし可能な矩形の注出口導出用開閉部２４が切込み形成されると共に、この開閉部２４の先端に略円形の嵌合孔封鎖片２４ａが連設されている。一方、該上蓋２の周枠部２ｂには、図３に示すように、内向きに突出した複数本の縦方向リブ２５…と、同じく内向きに突出した水平方向の係止リブ２６…とが形成されている。
【００２４】
底蓋３は、熱可塑性樹脂の真空成形物又は圧空成形物からなり、図５（Ａ）（Ｂ）に示すように、凹凸状の底板部３ａと僅かに裾拡がりになった周枠部３ｂとから、上蓋２に近似した正方形の箱枠状をなしている。そして、底板部３ａは、下面を凹凸基準として、周縁に沿う溝状凹部３１…を有し、その外側側壁と周枠部３ｂとの間で縦断面Ｕ字状の抱持部３２…を構成すると共に、包装用容器を段積みした際に下位側の包装用容器における上蓋２の畝状凸部２２…と嵌合して段積み状態を安定化させる凹部（図示省略）を備えている。また、この底蓋３における周壁部１の下縁側の各係止突片８に対応する位置では、抱持部３２が途切れる代わりに、ロック孔３３とその内側部分であるロック片３４とが切込み形成されている。一方、該底蓋３の周枠部３ｂには、図３に示すように、上蓋２の周枠部２ｂと同様に、内向きに突出した複数本の縦方向リブ３５…と、同じく内向きに突出した水平方向の係止リブ３６…とが形成されている。
【００２５】
しかして、この底蓋３は、正四角筒状とした周壁部１の下部に外嵌して押圧することにより、図５（Ｂ）に示すように、抱持部３２…に周壁部１の下縁の爪部１４…が入り込み、これら爪部１４…の上側に係止リブ３６…が係嵌すると共に、図５（Ａ）に示すように、各側壁１ａの左右一対の係止突片８，８が各々ロック孔３３に挿嵌し、その爪部１４が外側へ突き出して且つ背面からロック片３４で押圧される形で係止され、もって該周壁部１に強固に嵌着する。
【００２６】
一方、上蓋２は、上記のように底蓋３を嵌着した周壁部１の上部に外嵌して押圧することにより、その抱持部２２に胴部１の上縁の爪部１４…が入り込むと共に、これら爪部１４…の下側に係止リブ２６…が係嵌し、もって当該周壁部１に容易には離脱しない状態に冠着される。しかして、この上蓋２では、内部に流動物入り内袋等を収容する使用形態において、該内袋内の流動物を注出する際、図８の仮想線で示すように、注出口導出用開閉部２４を上方へ引き上げて開放し、その開放部から内袋の筒状注出口Ｆを容器外へ引き出すと共に、嵌合孔封鎖片２４ａの離脱で生じた嵌合孔部分に該筒状注出口Ｆを嵌合係止させ、この状態で包装用容器を傾けて流動物を注出するようにしている。
【００２７】
カバーパネル４Ａ，４Ｂは共に、熱可塑性樹脂の真空成形物又は圧空成形物からなり、図１に示すように、周壁部１の各側壁１ａにおける独立凹部５…群の形成領域全体を覆う大きさの矩形をなし、周縁部４１が剛性を得るために外側へリブ状に膨らむと共に、内面側には四隅部を含む周縁に沿った各辺複数箇所と内側数カ所とに、略正六角形の嵌合凸部７…が形成されている。また、一方のカバーパネル４Ｂの中央部には、上向き凸に湾曲した弓形の持ち手部８が切込み形成されている。この持ち手部８は、図７に示すように、弓形の両端をヒンジ８ａ，８ａとして外側へ引き出した状態で使用者が把持できるものであり、中央に前記嵌合凸部７の一つを備えた止着片８ｂが上方へ突設されると共に、この止着片８ａの先端に更に摘み突起８ｂが一体形成されている。
【００２８】
両カバーパネル４Ａ，４Ｂの各嵌合凸部７…は、図６（Ａ）でも示すように、パネル外面側で略正六角形の凹部７０になると共に、基部７１が括れて先端側に膨らんだ形になっており、図６（Ｂ）に示すように、容器本体１０の周壁部１における奥広形状の独立凹部５ａに対し、強制圧入によって係嵌し得るように寸法設定されている。一方、容器本体１０の周壁部１の各側壁１ａにおける独立凹部５…群は、装着されるカバーパネル４Ａ，４Ｂの一方の嵌合凸部７…の配置に対応した位置にあるものだけが奥広形状の独立凹部５ａになっている。
【００２９】
しかして、容器本体１０は、図１に示すように、装着される上蓋２の注出口導出用開閉部２４が臨む方向を前方として、前後面にはカバーパネル４Ａを、左右側面には持ち手部８のあるカバーパネル４Ｂを、それぞれ装着するように設定されている。その装着状態の正面図を図７に、同右側面図を図８に示す。
【００３０】
このような包装用容器にあっては、容器本体１０の周壁部１自体の表面は全体が凹凸状をなすが、その前後面に装着されるカバーパネル４Ａが広い平坦面を有するから、例えば図７で該カバーパネル４Ａの中央部に仮想線で示す横長矩形領域Ｚ等に、予め印刷したり、ラベルを貼着したり、更には該カバーパネル４Ａと周壁部１との間に印刷物を挟み込んだりすることにより、収容した物品の名称、商標、成分内容、使用説明、公告宣伝等の種々の表示を容易に且つ長期的に維持できる形で施すことができ、しかも容器本体１０には直接に表示を施さないので、内容物の違いに対応した表示の変更もカバーパネル４Ａ側の表示選択によって極めて簡単に行える。一方、容器本体１０の左右側面に装着したカバーパネル４Ｂには持ち手部８が設けてあるから、容器の持ち上げ等の際に使用者が図７で示すように側方へ引き出した持ち手部８，８を把持して容易に取り扱うことができ、例えば収容した流動物入り内袋の注出口Ｆを上蓋２の注出口導出用開閉部２４から引き出して流動物の注出を行う場合に、その注出等のために容器全体を持ち上げて傾ける操作を容易に行えると共に、持ち手部８の不使用時には止着片８ｂの嵌合凸部７を周壁部１の独立凹部５ａに圧嵌することにより、該持ち手部８を邪魔にならない倒伏姿勢に止着できる。
【００３１】
また、このような包装用容器では、周壁部１とカバーパネル４Ａ，４Ｂとの間に空気層ができるから、当該周壁部１の二重シート６の間に構成される空気層と相まって、高い断熱保温性能が得られる上、容器本体１０の四周の独立凹部５…群に対して四周外面に露呈する凹部７０の数が格段に少ないから、それだけ塵埃が溜まりにくく、汚れも落とし易くなる。
【００３２】
容器本体１０の周壁部１に対するカバーパネル４Ａ，４Ｂの装着は、それぞれ内面の各嵌合凸部７を周壁部１の独立凹部５ａに圧嵌するだけでよく、接着剤による接着や熱溶着が不要である上、凹凸嵌合によって確実に位置決めできるため、操作的に非常に容易である。しかして、カバーパネル４Ａ，４Ｂは、周壁部１とする前の二重シート６の表面に予め装着させてもよく、この場合には両者を重ね合わせた状態でスポンジロール間に通すだけで、自動的に嵌合凸部７を独立凹部５ａに圧入させて両者を嵌着一体化できる。
【００３３】
なお、周壁部１の独立凹部５ａは開口５１側が、両カバーパネル４Ａ，４Ｂの嵌合凸部７は基部７１側が、共に括れた形状を有しているが、これらの凹凸形状は二重シート６の凹凸成形シート６１及び両カバーパネル４Ａ，４Ｂを熱可塑性樹脂のシート原材から真空成形又は圧空成形する方法によって無理なく形成可能である。ただし、凹凸成形シート６１については、独立凹部５…群の全てが奥広形状では型からの離脱に困難になるため、カバーパネル４Ａ，４Ｂの嵌合凸部７…に対応したものだけを奥広形状の独立凹部５ａとすることが望ましい。また、前記実施形態ではカバーパネル４Ａ，４Ｂの嵌合凸部７…の数と配置が異なるものを図示しているが、その数と配置は等しく持ち手部８の有無だけが異なるものとしてもよい。
【００３４】
更に、本発明の包装用容器では、周壁部１の四周の側壁１ａ…全てにカバーパネル４Ａ，４Ｂの一方のみを装着する構成、四周の全てではなく１〜３面にカバーパネルを装着する構成、更には各側壁１ａについて独立凸部５…群の形成領域全体ではなく部分的に覆う構成も包含する。また、前記実施形態では周壁部１の各側壁１ａ毎に対応して独立したカバーパネル４Ａ，４Ｂを用いているが、周壁部１の四周複数面に対応する部分が連なった形のカバーパネルも使用可能である。しかして、カバーパネルは、周壁部１の側壁１ａに対し、装着強度をより大きくするために、嵌合凸部７…による係嵌と共に部分的な接着や溶着を行うことも可能である。一方、容器本体１０についても、上蓋２や底蓋３が接着、溶着、成形時の連設等で周壁部１に一体化されたものや、上蓋２に注出口導出用開閉部２４がないもの、周壁部１が平面視で長方形や四角形以外の多角形、円形、楕円形等であるもの等、種々の構造のものを採用できる。
【００３５】
その他、本発明においては、カバーパネルの外形や持ち手部８の形状、カバーパネルにおける嵌合凸部７…の数と配置構成、周壁部１における隔壁周辺部の形状、上蓋２及び底蓋３の凹凸形状、周壁部１と上蓋２及び底蓋３との係着構造等、細部構成については実施形態以外に種々設計変更可能である。
【図面の簡単な説明】
【００３６】
【図１】本発明の一実施形態に係る包装用容器の容器本体とカバーパネルを示す斜視図である。
【図２】同包装用容器における容器本体の周壁部の要部の横断平面図である。
【図３】同容器本体の周壁部の形態転換を示す概略平面図である。
【図４】同容器本体の周壁部と上蓋及び底蓋ならびにカバーパネルの一つを分離した状態で示す側面図である。
【図５】同容器本体の周壁部と底蓋との嵌合状態を示し、（Ａ）は周壁部の係止突片位置での縦断側面図、（Ｂ）は周壁部の該係止突片から外れた下縁部での縦断側面図である。
【図６】カバーパネルの周壁部に対する係嵌構造を説明するものであり、（Ａ）はカバーパネル側端近傍の縦断側面図、（Ｂ）はカバーパネルの係合凸部と周壁部の独立凹部との係嵌状態を示す要部の縦断側面図である。
【図７】カバーパネルを装着した包装用容器の正面図である。
【図８】カバーパネルを装着した包装用容器の右側面図である。
【符号の説明】
【００３７】
１      周壁部
１ａ    側壁
２      上蓋
３      底蓋
４Ａ    カバーパネル
４Ｂ    カバーパネル
５      独立凹部
５ａ    奥広形状の独立凹部
５０    独立凸部
５１    開口
６      二重シート
６１    凹凸成形シート
６２    平坦シート
７      独立凸部
７１    基部
８      持ち手部
１０    容器本体
【図１】
2006206092.tif 000003
【図２】
2006206092.tif 000004
【図３】
2006206092.tif 000005
【図４】
2006206092.tif 000006
【図５】
2006206092.tif 000007
【図６】
2006206092.tif 000008
【図７】
2006206092.tif 000009
【図８】
2006206092.tif 000010